(57)【要約】【課題】折り畳んで収納することが可能である足踏み式健康器を提供する。【解決手段】上へ傾斜した右中間アーム１２が固定してある右横レバー１１と、右台座１４が右中間アーム１２に摺動可能に設けられ、右台座１４に固定される右ペダル１３と、右中間アーム１２に応じて上へ傾斜した左中間アーム２２が固定してあり、右中間アーム１２の右横レバー１１から遠ざかった一端に枢着される左中間アーム２２の一端から遠ざかった左中間アーム２２の一端に設けられる左横レバー２１と、左台座２４が左中間アーム２２に摺動可能に設けられ、左台座２４に固定される左ペダル２３と、両端が左右中間アーム１２、２２にそれぞれ連接され、湾曲可能であり、湾曲されたときに左右中間アーム１２、２２が互いに近接可能になり、左右中間アーム１２、２２が枢転して互いに離れるときに、左右中間アーム１２、２２の最大枢転可能角度を限定する支持具３と、を備える。【選択図】図２
0003125373.tif 000002
【実用新案登録請求の範囲】
【請求項１】
一つの右横レバーと、一つの右ペダルと、一つの左横レバーと、一つの左ペダルと、一つの支持具とを備える足踏み式健康器において、
前記右横レバーには、上へ傾斜した右中間アームが固定してあり、
前記右ペダルは、右台座に固定され、前記右台座が前記右中間アームに摺動可能に設けられ、
前記左横レバーは、前記右中間アームに応じて上へ傾斜した左中間アームが固定してあり、前記左中間アームの前記左横レバーから遠ざかった一端は、前記右中間アームの前記右横レバーから遠ざかった一端に枢着され、
前記左ペダルは、左台座に固定され、前記左台座が前記左中間アームに摺動可能に設けられ、
前記支持具は、湾曲可能なものであり、両端が前記右中間アーム及び前記左中間アームにそれぞれ連接され、前記支持具が湾曲されたときに、前記右中間アーム及び前記左中間アームが互いに近接可能になり、前記右中間アーム及び前記左中間アームが枢転して互いに離れるときに、前記支持具は前記右中間アーム及び前記左中間アームの最大枢転可能角度を限定することを特徴とする足踏み式健康器。
【請求項２】
前記左中間アームの前記左横レバーから遠ざかった一端は凹部であり、前記右中間アームの前記右横レバーから遠ざかった一端は前記凹部に合う凸部であり、前記凸部が前記凹部の欠け口に挿入され、一つの回転軸の挿通により前記凹部と凸部とは互いに枢転可能であり、
前記回転軸には案内ホイルが一つ枢着してあり、前記右中間アームの凸部には前記案内ホイルを収容する長形穴が一つ開設してあり、前記案内ホイルと前記凸部と前記凹部とは同軸に別々に枢転可能な状態であり、
前記案内ホイルには案内ワイヤが一つ組み付けてあり、前記案内ワイヤの両端は前記右台座及び前記左台座にそれぞれ固定され、前記案内ワイヤによって前記右台座及び前記左台座は同時に相対に摺動することが可能であり、
前記右ペダルの右台座と前記右横レバーとの間には一つの気圧シリンダーが枢着してあり、前記左ペダルの左台座と前記左横レバーとの間にも一つの気圧シリンダーが枢着してあり、前記二つの気圧シリンダーにより、相対的に摺動された右ペダル及び左ペダルが自動に復帰可能であり、
前記右中間アームの凸部と前記右横レバーとの間には右長形溝が一つ設けてあり、前記右ペダルの右台座が前記右長形溝の上で摺動し、前記左中間アームの凹部と前記左横レバーとの間には左長形溝が一つ設けてあり、前記左ペダルの左台座が前記左長形溝の上で摺動し、
前記支持具は互いに枢着された連接具から構成され、前記二つの連接具のうちの一つは前記右中間アームに枢着され、前記連接具の他者は前記左中間アームに枢着されることを特徴とする請求項１に記載の足踏み式健康器。
【考案の詳細な説明】
【技術分野】
【０００１】
本考案は、足踏み式健康器に係り、特に、折り畳んで収納することが可能である足踏み式健康器に関するものである。
【背景技術】
【０００２】
図５に示すのは従来の足踏み式健康器である。この足踏み式健康器の構造は、エの字形の台座８１を備え、前記台座８１の前端には上へ伸びた支持レバー８２が一つ設けてあり、前記支持レバー８２の頂端の左右側にはペダル８３がそれぞれ一つ枢着してあり、各ペダル８３の底側は一つの気圧シリンダー８４を介して台座８１の前端の底レバー８１１と連結し、この構造により、ユーザーの踏む力を受けることができる。また、前記二つのペダル８３の間にある支持レバー８２には連結器８５が別に設けてあり、これにより、二つのペダル８３がサイクルに作動でき、前記連結器８５が一つの調整装置８６に制御される。
【考案の開示】
【考案が解決しようとする課題】
【０００３】
しかしながら、これは次のような欠点があった。
（イ）従来の足踏み式健康器は、エの字形の台座が固定された構造であり、折り畳むことができないので、大きい収納空間が必要であり、収納は極めて不便である。
（ロ）従来の足踏み式健康器は、エの字形の台座が固定された構造であり、折り畳むことができないので、包装されたものの体積は縮小できず、トラックの積載できる数量がより少ないので、運送コストは高くなる。
本考案の主な目的は、折り畳んで収納することが可能である足踏み式健康器を提供することである。
【課題を解決するための手段】
【０００４】
上記欠点を解決するためになされた本考案は、一つの右横レバーと、一つの右ペダルと、一つの左横レバーと、一つの左ペダルと、一つの支持具とを備える足踏み式健康器において、前記右横レバーには、上へ傾斜した右中間アームが固定してあり、前記右ペダルは、右台座に固定され、前記右台座が前記右中間アームに摺動可能に設けられ、前記左横レバーは、前記右中間アームに応じて上へ傾斜した左中間アームが固定してあり、前記左中間アームの前記左横レバーから遠ざかった一端は、前記右中間アームの前記右横レバーから遠ざかった一端に枢着され、前記左ペダルは、左台座に固定され、前記左台座が前記左中間アームに摺動可能に設けられ、前記支持具は、湾曲可能なものであり、その両端が前記左右中間アームにそれぞれ連接され、前記支持具が湾曲されたときに、前記左右中間アームが互いに近接可能になり、前記左右中間アームが枢転して互いに離れるときに、前記支持具は前記左右中間アームの最大枢転可能角度を限定することを特徴とする足踏み式健康器であることを要旨としている。
【０００５】
本考案では、前記左中間アームの前記左横レバーから遠ざかった一端は凹部であり、前記右中間アームの前記右横レバーから遠ざかった一端は前記凹部に合う凸部であり、前記凸部が前記凹部の欠け口に挿入され、一つの回転軸の挿通により前記凹部と凸部とは互いに枢転可能であり、前記回転軸には案内ホイルが一つ枢着してあり、前記右中間アームの凸部には前記案内ホイルを収容する長形穴が一つ開設してあり、前記案内ホイルと前記凸部と前記凹部とは同軸に別々に枢転可能な状態であり、前記案内ホイルには案内ワイヤが一つ組み付けてあり、前記案内ワイヤの両端は前記右台座及び前記左台座にそれぞれ固定され、前記案内ワイヤによって前記右台座及び前記左台座は同時に相対に摺動することが可能であり、前記右ペダルの右台座と前記右横レバーとの間には一つの気圧シリンダーが枢着してあり、前記左ペダルの左台座と前記左横レバーとの間にも一つの気圧シリンダーが枢着してあり、前記二つの気圧シリンダーにより、相対的に摺動された右ペダル及び前記左ペダルが自動に復帰可能であり、前記右中間アームの凸部と前記右横レバーとの間には右長形溝が一つ設けてあり、前記右ペダルの右台座が前記右長形溝の上で摺動し、前記左中間アームの凹部と前記左横レバーとの間には左長形溝が一つ設けてあり、前記左ペダルの左台座が前記左長形溝の上で摺動し、また、前記支持具は互いに枢着された連接具から構成され、前記二つの連接具のうちの一つは前記右中間アームに枢着され、前記連接具の他者は前記左中間アームに枢着されることを要旨としている。
【０００６】
（考案の効果）
本考案に係る足踏み式健康器によれば、次のような効果がある。
（イ）本考案の実施例の足踏み式健康器は、折り畳んで収納することが可能であり、折り畳んだ足踏み式健康器の体積は縮小され、収納スペースは小さくなり、収納便利性は向上される。
（ロ）本考案の実施例の足踏み式健康器は、折り畳んで収納することが可能であり、折り畳んだ足踏み式健康器の体積は縮小されるので、トラックの積載可能の数量は多くなり、運送コストは低減される。
【考案を実施するための最良の形態】
【０００７】
以下、添付図面を参照して本考案の好適な実施の形態を詳細に説明する。
まず、図１及び図２を参照する。本考案の一実施例の足踏み式健康器は、一つの右横レバー１１と、一つの右ペダル１３と、一つの左横レバー２１と、一つの左ペダル２３と、一つの支持具３とを備える。
前記右横レバー１１には、上へ傾斜した右中間アーム１２が固定してある。
【０００８】
前記右ペダル１３は、右台座１４に固定され、前記右台座１４が前記右中間アーム１２に摺動可能に設けられる。
前記左横レバー２１は、前記右中間アーム１２に応じて上へ傾斜した左中間アーム２２が固定してあり、前記左中間アーム２２の前記左横レバー２１から遠ざかった一端は、前記右中間アーム１２の前記右横レバー１１から遠ざかった一端に枢着される。
前記左ペダル２３は、左台座２４に固定され、前記左台座２４が前記左中間アーム２２に摺動可能に設けられる。
【０００９】
前記支持具３は、湾曲可能なものであり、その両端が前記右中間アーム１２及び前記左中間アーム２２にそれぞれ連接され、前記支持具３が湾曲されたときに、前記右中間アーム１２及び前記左中間アーム２２が互いに近接可能であり、前記右中間アーム１２及び前記左中間アーム２２が枢転して互いに離れるときに、前記支持具３は前記右中間アーム１２及び前記左中間アーム２２の最大枢転可能角度を限定する。また、前記支持具３は互いに枢着された連接具３１、３２から構成され、前記二つの連接具３１、３２のうちの一つは前記右中間アーム１２に枢着され、前記連接具３１、３２の他者は前記左中間アーム２２に枢着される。
【００１０】
本実施例では、前記左中間アーム２２の前記左横レバー２１から遠ざかった一端は凹部２２１であり、前記右中間アーム１２の前記右横レバー１１から遠ざかった一端は前記凹部２２１に合う凸部１２１であり、前記凸部１２１が前記凹部２２１の欠け口に挿入され、前記右中間アーム１２の凸部１２１には前記案内ホイル４１を収容する長形穴１２２が一つ開設してあり、一つの回転軸４２が前記案内ホイル４１と前記凸部１２１と前記凹部２２１とを挿通することにより、前記案内ホイル４１と前記凸部１２１と前記凹部２２１とは同軸に別々に枢転可能な状態になる。また、前記案内ホイル４１には案内ワイヤ４３が一つ組み付けてあり、前記案内ワイヤ４３の両端は前記右台座１４及び前記左台座２４にそれぞれ固定され、前記案内ワイヤ４３によって前記右台座１４及び前記左台座２４は同時に相対に摺動することが可能であり、前記右ペダル１３の右台座１４と前記右横レバー１１との間には一つの気圧シリンダー１５が枢着してあり、前記左ペダル２３の左台座２４と前記左横レバー２１との間にも一つの気圧シリンダー２５が枢着してあり、前記二つの気圧シリンダー１５、２５により、相対的に摺動された右ペダル１３及び左ペダル２３が自動に復帰可能になる。
【００１１】
前記右中間アーム１２の凸部１２１と前記右横レバー１１との間には右長形溝１２３が一つ設けてあり、これにより、前記右ペダル１３の右台座１４が前記右長形溝１２３の上で摺動し、前記左中間アーム２２の凹部２２１と前記左横レバー２１との間には左長形溝２２３が一つ設けてあり、これにより、前記左ペダル２３の左台座２４が前記左長形溝２２３の上で摺動する。
【００１２】
図３に示すように、本実施例の足踏み式健康器を収納しようとする場合には、前記支持具３の二つの連接具３１、３２を内側へ湾曲して、右横レバー１１及び左横レバー２１を右中間アーム１２及び左中間アーム２２に寄せると、右ペダル１３及び左ペダル２３が互いに寄って、これにより、折り畳んだ足踏み式健康器の体積は縮小され、収納スペースは小さくなり、収納便利性は向上する。
このように、本実施例によって、本考案が特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【図面の簡単な説明】
【００１３】
【図１】本考案の一実施例による足踏み式健康器の斜視図である。
【図２】本考案の一実施例による足踏み式健康器の側面の模式図である。
【図３】本考案の一実施例による足踏み式健康器の収納時の動作を示す模式図である。
【図４】従来の足踏み式健康器の斜視図である。
【符号の説明】
【００１４】
１１  右横レバー、１２  右中間アーム、１２１  凸部、１２２  長形穴、１２３  右長形溝、１３  右ペダル、１４  右台座、１５  気圧シリンダー、２１  左横レバー、２２  左中間アーム、２２１  凹部、２２３  左長形溝、２３  左ペダル、２４  左台座、２５  気圧シリンダー、３  支持具、３１、３２  連結具、４１  案内ホイル、４２  回転軸、４３  案内ワイヤ
【図１】
0003125373.tif 000003
【図２】
0003125373.tif 000004
【図３】
0003125373.tif 000005
【図４】
0003125373.tif 000006